(57)【要約】【課題】洗浄タンクと洋風大便器の設置に際して大便器後部の出っ張りを減らし、無駄な空間が生じないようにすること。【解決手段】洋風大便器と、洗浄水を貯溜し大便器に洗浄水を供給する洗浄タンクと、この洗浄タンクの流出口と洋風大便器後部の給水口との間を連絡する給水管とを備えた大便器装置において、洗浄タンクを縦長状に形成して洋風大便器の側方に設置すると共に洋風大便器の給水口を洋風大便器後部の側面部に設け、給水管を介して洗浄水を洋風大便器の側方より供給する。【選択図】図１
2004019094.tif 000002
【特許請求の範囲】
【請求項１】
洋風大便器と、洗浄水を貯溜し前記大便器に洗浄水を供給する洗浄タンクと、この洗浄タンクの流出口と前記洋風大便器後部の給水口との間を連絡する給水管とを備えた大便器装置において、前記洗浄タンクを縦長状に形成して前記洋風大便器の側方に設置すると共に前記洋風大便器の給水口を該洋風大便器後部の側面部に設け、前記給水管を介して洗浄水を前記洋風大便器の側方より供給することを特徴とする大便器装置。
【請求項２】
前記洋風大便器の給水口の中心を、この洋風大便器後部の上面に設けた便座取付穴の軸心と略同じか前方に位置させたことを特徴とする請求項１記載の大便器装置。
【請求項３】
前記洗浄タンクを、トイレ奥壁とトイレ側壁とのコーナー部に設置したキャビネット内に収納設置したことを特徴とするする請求項１乃至２記載の大便器装置。
【発明の詳細な説明】
【０００１】
【発明の属する技術分野】
本発明は洋風大便器と、洗浄水を貯溜し大便器に洗浄水を供給する洗浄タンクとを備えた大便器装置、特にトイレ空間内に洋風大便器や洗浄タンクを合理的に設置し得て、例えトイレ空間が狭くても設置可能な大便器装置に関する。
【０００２】
【従来の技術】
従来、この種の大便器装置は図８に示すように洋風大便器１がトイレ空間Ｔ内の略中央部に、洗浄タンク２がトイレ空間内のコーナーに夫々設置され、給水管２５を介して洗浄タンク２内の洗浄水が大便器１に供給される隅付きタンクタイプや、図９に示すように洋風大便器１後部に洗浄タンク２が設置され洗浄タンク２内の洗浄水が直接大便器１に供給されるタンク密結タイプのものが知られている。
【０００３】
【発明が解決しようとする課題】
前者の隅付きタンクタイプのものにおいては、洋風大便器１後方の余り有効活用しないトイレ隅に洗浄タンク２を設置することにより狭いトイレに設置できるようにしたものであるが、洋風大便器１後部の背面に給水口が設けられている関係上、洋風大便器１とその後方のトイレ奥壁Ａとの間に隙間が必要であり、その分無駄な空間が必要であった。
【０００４】
後者のタンク密結タイプのものものにおいては、洋風大便器１後部に洗浄タンク２を設置する関係上、洋風大便器１後部より洗浄タンク２が出張り、その出張った分、大便器１後部に無駄な空間が生じてしまううえ、大便器１後方のトイレ奥壁Ａから大便器１前方の端部との距離が長くなってしまう。
【０００５】
また、洋風大便器１においては便座７や便蓋８などをセットして利用する関係上、大便器１のボウル部後方上面に便座７などの取付穴が開けられているが、何れのタイプにおいても給水口が取付穴より後方に開けられており、どうしても大便器１の後部に無駄な空間が生じてしまう。
【０００６】
本発明はこの様な不都合を解決し、洗浄タンクと洋風大便器の設置に際して大便器後部の出っ張りを減らし、無駄な空間が生じないようにすることを目的としている。
【０００７】
【課題を解決するための手段】
上記課題を解決するため、本発明の大便器装置では、洋風大便器と、洗浄水を貯溜し大便器に洗浄水を供給する洗浄タンクと、この洗浄タンクの流出口と洋風大便器後部の給水口との間を連絡する給水管とを備えた大便器装置において、洗浄タンクを縦長状に形成して洋風大便器の側方に設置すると共に洋風大便器の給水口を洋風大便器後部の側面部に設け、給水管を介して洗浄水を洋風大便器の側方より供給することを特徴としている。
【０００８】
このように洗浄タンクを縦長状にすることでタンク平面がトイレの床面積に占める割合が減少し、かつ洋風大便器の給水口を洋風大便器後部の側面部に設け、洗浄タンクを洋風大便器の側方に設置して給水管を介して洗浄水を洋風大便器の側方より供給することで、大便器の後部を大便器後方のトイレ壁に接近して設置でき、大便器後方に無駄な空間の発生を抑えることが可能になる。
【０００９】
洋風大便器の給水口を、この洋風大便器後部の上面に設けた便座取付穴の軸心と略同じか前方に位置させることが好ましく、この様に構成すれば大便器のボウル部後部の寸法が短くなって、結果的に大便器の前後方向の寸法が短くなり、大便器後方のトイレ壁に大便器を接近させて設置することで大便器の前方のトイレ空間を広く出来る。
【００１０】
この洗浄タンクを、トイレ奥壁Ａとトイレ側壁Ｂとのコーナー部Ｃに設置したキャビネット内に収納設置するのが好ましく、この様にすることで洗浄タンクが露出せずトイレ空間Ｔ内の意匠性も向上するうえ、大便器１の後部を大便器１後方のトイレ奥壁Ａに接近して設置することと相俟ってトイレ奥壁Ａ部分をすっきり纏めることが可能になる。
【００１１】
【実施の形態】
以下、図面に示す実施例に基づいて本発明を説明すると、図１は本発明大便器装置を設置したトイレ空間の斜視図、図２は同平面図、図３は同大便器の縦断面図、図４は同大便器の一部を切り欠いた平面図、図５は洗浄タンクを収納したキャビネットの一部を切り欠いた断面図、図６は他の実施例を示すトイレ空間の斜視図、図７は更に他の実施例を示すトイレ空間の斜視図である。
【００１２】
まず図１乃至図５の第１実施例について説明すると、図１、図２に示すように洋風大便器１はトイレ奥壁Ａの略センターに近接させて、洗浄タンク２はトイレ奥壁Ａとトイレ側壁Ｂとのコーナー部Ｃに近接された状態でトイレ空間Ｔ内に夫々設置されてている。
【００１３】
図３、図４に示す様に、大便器１はその中央部にボウル部３を有し、後部上面４には取付穴５が開設されており、この取付穴５に取付具６でもって便座７や便蓋８が大便器１上面に固定されている。また大便器１の後部側面９には、取付穴５より前側に位置する箇所に給水口１０が開設されて大便器１内の通水路１１に連絡しており、この通水路１１はボウル部３のリム洗浄孔１２やジェット孔１３に連なっている。
【００１４】
また、ボウル部３下方にはこれに連なる逆Ｕ字形状の排水路１４が成形され、この排水路１４出口１５には樹脂製のクランク状で水平方向長さが調整自在な中継管１６の一端が装着されており、他端は床１７に向って立上げた排水管１８に接続されている。
【００１５】
洗浄タンク２は、図５に示す様に、平面略長方形状で縦長に形成され、トイレ奥壁Ａとトイレ側壁Ｂとのコーナー部Ｃに設置したキャビネット１９内の中間部に収納されており、洗浄タンク２内部には水道管（図示せず）に接続された自動水位調整バルブ２０が設けられると共に、タンク２の中途部には流出口２１を開閉する排水弁２２が設けられている。
【００１６】
この排水弁２２はタンク２の最高貯留水位より上方に設置された電気駆動アクチュエーター２３に連係し、トイレ側壁Ｂに設けたセンサー２４に軽く手を触れることにより電気駆動アクチュエーター２３が排水弁２２を引き上げるように構成されている。
【００１７】
給水管２５は略Ｌ字形状を呈しており、この給水管２５の一端がタンク２の流出口２１に接続され、他端はキャビネット１９下部を貫通して床１７に沿って水平方向に延び、大便器１後部側方の給水口１０に接続されている。
【００１８】
尚、キャビネット１９の上部及び下部は夫々トイレ用品の収納ボックス２６、２７が設けられると共に、上部収納ボックス２６上方には更に棚２８が設けら、床１７上に載置されている。
【００１９】
而して、用便後、利用者がトイレ側壁Ｂに設けたセンサー２４に触れると電気駆動アクチュエーター２３が排水弁２２を引き上げ、洗浄タンク２内の洗浄水が流出口２１、給水管２５を経て大便器１後部の給水口１０より通水路１１に流入、リム洗浄孔１２、ジェット孔１３からボウル部３に噴出して汚物をボウル部３から排出、排水路１４、中継管１６を経て汚物と共に排水管１８へ排水される。
【００２０】
所定時間後電気駆動アクチュエーター２３への通電が停止して排水弁２２が下降し、排水弁２２が流出口２１を塞ぎ、併せて水位の下降に伴って自動水位調整バルブ２０よりタンク２内に洗浄水が供給され、タンク２内水位が所定のレベルに達すると自動水位調整バルブ２０が閉じて水の供給が停止する。
【００２１】
このように、洋風大便器１の側方に、縦長状の洗浄タンク２を設置し、且つ大便器１の給水口１０を後部側面９に設け、洗浄水を大便器１の側方より供給するので、タンク２平面がトイレ空間Ｔの床面積に占める割合が減少し、かつ洗浄水を洋風大便器１の側方より供給することで、大便器１の後部を大便器１後方のトイレ奥壁Ａに接近して設置でき、大便器１後方に無駄な空間が発生することを防止できる。
【００２２】
また、洋風大便器１の給水口１０を、この洋風大便器後部の上面４に設けた便座取付穴５の軸心と略同じか前方に位置させているので、大便器１のボウル部３後部の寸法が短くなって、結果的に大便器１の前後方向の寸法が短くなり、大便器１後方のトイレ奥壁Ａに大便器１を接近させて設置することで大便器１の前方のトイレ空間を広く出来る。
【００２３】
尚、洗浄タンク２をトイレ奥壁Ａとトイレ側壁Ｂとのコーナー部Ｃに設置したキャビネット１９内に収納し、その上下の空間に収納ボックス２６、２７や棚２８を設けることで、洗浄タンク２上下の空間も有効利用でき、且つ、洗浄タンク２が露出せずトイレ空間Ｔ内の意匠性も向上するうえ、大便器１の後部を大便器１後方のトイレ奥壁Ａに接近して設置することと相俟ってトイレ奥壁Ａ部分をすっきり纏めることが可能になる。また、キャビネット１９内に洗浄タンク２を設置することで、キャビネット１９の断熱効果で洗浄タンク２の結露防止も図れる。
【００２４】
次に、図６に示す第２実施例について説明すると、この実施例では、洗浄タンク２を収納したキャビネット１９は、トイレ奥壁Ａとトイレ側壁Ｂとのコーナー部Ｃに床１７と間隔を設けてトイレ奥壁Ａ、トイレ側壁Ｂの壁面に取り付け固定されている。その他の構成は第１実施例と同様であり、この第２実施例のようにキャビネット１９を設置すると、床１７面上がすっきりし、床１７面や大便器１の清掃が行い易い。
【００２５】
次に、図７に示す第３実施例について説明すると、この実施例では、洗浄タンク２を収納したキャビネット１９の基本部分は第１実施例と同様であるが、この実施例ではトイレ側壁Ｂにも薄型のキャビネット２９ａを設置して、このキャビネット２９ａ上に自動水栓３０付きの手洗い器３１を設けている。
そして、このキャビネット２９ａ上部からキャビネット１９との間に水平方向に肘掛けを兼ねた棚板３２を設け、この棚板３２下面に紙巻器３３を取り付けている。この第３実施例では、トイレ側壁Ｂ側空間も有効に利用でき、すっきりしたトイレ空間Ｔを演出できる。
【００２６】
本発明は上述の実施例に限定されること無く種々の変形が可能であり、例えば洗浄タンク排水弁の開閉を手動式にしても良く、この場合排水弁開閉用の操作ハンドルを、洗浄タンクを収納したキャビネット前面板に設ければ良い。
また、大便器に温水洗浄機能付の便座を取り付けても良い。
【図面の簡単な説明】
【図１】本発明大便器装置を設置したトイレ空間の斜視図である。
【図２】同、平面図である。
【図３】同、大便器の縦断面図である。
【図４】同、大便器の一部を切り欠いた平面図である。
【図５】洗浄タンクを収納したキャビネットの一部を切り欠いた断面図である。
【図６】他の実施例を示すトイレ空間の斜視図である。
【図７】他の実施例を示すトイレ空間の斜視図である。
【図８】従来のトイレ空間の斜視図である。
【図９】従来のトイレ空間の斜視図である。
【符号の説明】
Ａ…トイレ奥壁
Ｂ…トイレ側壁
Ｃ…コーナー部
Ｔ…トイレ空間
１…大便器
２…洗浄タンク
３…ボウル部
４…後部上面
５…取付穴
６…取付具
７…便座
８…便蓋
９…後部側面
１０…給水口
１１…通水路
１２…リム洗浄孔
１３…ジェット孔
１４…排水路
１５…出口
１６…中継管
１７…床
１８…排水管
１９…キャビネット
２０…自動水位調整バルブ
２１…流出口
２２…排水弁
２３…電気駆動アクチュエーター
２４…センサー
２５…給水管
２６…収納ボックス
２７…収納ボックス
２８…棚
２９…キャビネット　２９ａ…キャビネット
３０…自動水栓
３１…手洗い器
３２…棚板
３３…紙巻器
【図１】
2004019094.tif 000003
【図２】
2004019094.tif 000004
【図３】
2004019094.tif 000005
【図４】
2004019094.tif 000006
【図５】
2004019094.tif 000007
【図６】
2004019094.tif 000008
【図７】
2004019094.tif 000009
【図８】
2004019094.tif 000010
【図９】
2004019094.tif 000011